(57)【要約】【課題】電柱と地表面との間に生じた隙間に雨水が入り込むことを防ぐとともに、この隙間が生じたか否かを容易に点検できるようにする。【解決手段】電柱地際カバー１０１は、筒状の基部１０５と、傘部１０６とを備える。傘部１０６は、可撓性を有する素材で傘形状に形成されている。この傘部１０６は、基部１０５と連なっていて、この基部１０５から拡がる傘形状となっている。電柱地際カバー１０１は、基部１０５の内周面を電柱１０２の外周面に接しさせ、傘部１０６の下縁１０７ａを地表面１０３に接しさせた状態で、電柱１０２の根元に取り付けられる。【選択図】図１
2010236295.tif 000002
【特許請求の範囲】
【請求項１】
内周面を電柱の外周面に接してこの電柱に取り付けられる筒状の基部と、
可撓性を有する素材で前記基部から拡がる傘形状に形成され、先端領域に地表面に接する接触部を有し、裏返す外力が加わることによりこの傘形状が正転反転する弾性を有する傘部と、
を備える電柱地際カバー。
【請求項２】
前記基部と前記傘部との全体に連なるスリットを備える、
請求項１記載の電柱地際カバー。
【請求項３】
前記スリットは、前記軸線方向に対して傾斜する直線状に設けられる、
請求項２記載の電柱地際カバー。
【請求項４】
前記スリットは、前記軸線方向に対して傾斜する直線状の仮想線よりも前記接触部の方向に凸なる曲線状に設けられる、
請求項２記載の電柱地際カバー。
【発明の詳細な説明】
【技術分野】
【０００１】
本発明は、地面に立設する電柱とその地面との間の隙間から雨水が浸入することを防ぐ電柱地際カバーに関する。
【背景技術】
【０００２】
電柱は、その下端部を地面に埋められた状態で立設している。この地面が不安定になると、電柱は倒れやすくなり危険である。特許文献１は、電柱の下端部とその近傍の地表面とを同時に被覆して電柱の下端部及びその周辺部を保護し、電柱の周辺部に雑草が繁殖することを防止するとともに、雨水により電柱が腐食したり、排泄物により電柱の周辺部が汚損されたりすることを防止する電柱カバーの発明を開示している。
【先行技術文献】
【特許文献】
【０００３】
【特許文献１】特開平１１−３５５９４６号公報（図１及び段落００２３参照）
【発明の概要】
【発明が解決しようとする課題】
【０００４】
地面に立設する電柱は、風によって揺れ、電柱と地表面との間に隙間を生じさせる。また、電柱は、揺れることで、地表面下で電柱の下端部の周囲に空間を生じさせる。このような状態で雨が降ると、雨水が電柱の外周を伝って電柱と地表面との間の隙間から浸入し、地表面下の空間に溜まってしまう。この溜まった雨水は、空間の周囲の土壌を侵食してこの空間を大きくし空洞状にしてしまう。その結果、電柱の周囲の地面が陥没したり、電柱が倒れたりするおそれが生じる。
【０００５】
ここで、特許文献１に記載の電柱カバーを電柱に装着した場合を考える。この電柱カバーの地表面被覆部は動かないため、作業者は、電柱と地表面との間に隙間があるかどうかを確認することができない。また、凹凸を有する地表面と平板状の地表面被覆部の下面との間には隙間があり、そこから地表面を流れる雨水が流れ込みやすい。
【０００６】
本発明は、上記の点を鑑みてなされたものであり、電柱と地表面との間に生じた隙間に雨水が入り込むことを防ぐとともに、この隙間が生じたか否かを容易に点検できるようにすることを目的とする。
【課題を解決するための手段】
【０００７】
本発明の電柱地際カバーは、内周面を電柱の外周面に接してこの電柱に取り付けられる筒状の基部と、可撓性を有する素材で前記基部から拡がる傘形状に形成され、先端領域に地表面に接する接触部を有し、裏返す外力が加わることによりこの傘形状が正転反転する弾性を有する傘部と、を備える。
【発明の効果】
【０００８】
本発明によれば、電柱の外周面を流れる雨水は、電柱に取り付けられた電柱地際カバーの基部の外周面及び傘部の表面を流れて地表面に逃げ、さらに、接触部は、地表面を流れ傘部の内空間に入り込もうとする雨水を堰き止めるため、電柱と地表面との間に生じた隙間に雨水が入り込むことを防ぐことができる。また、傘部を捲り上げると傘形状が反転してその状態が維持されるため、電柱と地表面との間に隙間が生じたか否かを容易に点検できるようにすることができる。
【図面の簡単な説明】
【０００９】
【図１】第一の実施の形態における、電柱に取り付けられた電柱地際カバーの外観斜視図である。
【図２】第一の実施の形態における、電柱に取り付けられた電柱地際カバーの正面断面図である。
【図３】本発明の原理を説明する説明図である。
【図４】第一の実施の形態における、捲り上げられた電柱地際カバーを示す正面断面図である。
【図５】第二の実施の形態における、電柱に取り付けられた電柱地際カバーの外観斜視図である。
【図６】第三の実施の形態における、電柱に取り付けられた電柱地際カバーの外観斜視図である。
【図７】第四の実施の形態における、電柱に取り付けられた電柱地際カバーの外観斜視図である。
【発明を実施するための形態】
【００１０】
本発明の実施の一形態（第一の実施の形態）について、図１ないし図４に基づいて説明する。
【００１１】
図１は、電柱１０２に取り付けられた電柱地際カバー１０１の外観斜視図である。電柱１０２は、街路や公園等で地表面１０３から立設しており、屋外に曝されている。そのため、電柱１０２は風を受けて揺れる。この揺れによって、電柱１０２と地表面１０３との間には隙間１０４（図２及び図４参照）が生じてしまう。本実施の形態の電柱地際カバー１０１は、電柱１０２の根元に取り付けられて、電柱１０２と地表面１０３との間に生じる隙間１０４を覆い隠すものである。電柱地際カバー１０１は、円筒形状の基部１０５と円錐台形状の傘部１０６とが連なった形状を有しており、基部１０５の内周面を電柱１０２の外周面に接しさせ、傘部１０６の下縁１０７ａを地表面１０３に押し付けた状態で、電柱１０２の根元部分に取り付けられる。
【００１２】
図２は、電柱１０２に取り付けられた電柱地際カバー１０１の正面断面図である。基部１０５は、例えば、合成ゴムで形成される。この基部１０５の内径は、電柱１０２の径と同じである。傘部１０６は、可撓性を有する合成ゴム等のシート状の素材で、円錐台形状に丸められ、基部１０５から拡がる傘形状に形成される。なお、基部１０５と傘部１０６とは、一体成形されていても、それぞれ別体で成形されていてもよい。この傘部１０６は、傘形状となってその内側に空間１０９を形成する。また、図２に示すように、傘部１０６の上端部と基部１０５の下端部とは繋がっている。
【００１３】
作業者は、電柱１０２の設置作業に際して、このような電柱地際カバー１０１を、傘部１０６を先に入れるようにして、電柱１０２の上端部となる部分に嵌め込む。電柱１０２は、一般に、円柱状の棒形状であり、電柱１０２の上端部となる部分に入れられた電柱地際カバー１０１を作業者が動かすことは容易である。作業者は、このようにして、電柱地際カバー１０１を動かし、電柱１０２の根元となる部分に位置付ける。このとき、基部１０５の内径は電柱１０２の径と同じなので、電柱１０２とこの電柱１０２に装着された電柱地際カバー１０１の基部１０５との間に隙間が生じない。この後、作業者は、電柱１０２を地面に埋設し、足掛けや架線、トランス等（いずれも図示せず）をこの電柱１０２に取り付ける。
【００１４】
続いて、作業者は、基部１０５を持って電柱地際カバー１０１の全体を下方に押し込み、傘部１０６の下縁１０７ａを地表面１０３に密着させる。すなわち、本実施の形態の電柱地際カバー１０１では、傘部１０６の下縁１０７ａが接触部１０７としての役割を果たす。これにより、可撓性を有する傘部１０６は撓み、傘部１０６の下縁１０７ａは地表面１０３から抗力を大きく受けて、地表面１０３と傘部１０６との間の密着性が高まる。なお、この後、作業者は、電柱１０２の外周面と基部１０５の内周面との間を接着剤等を用いて糊付けし、電柱１０２と基部１０５との間の密着性をさらに高めても良い。また、基部１０５の外周に金属製のベルト（図示せず）を巻き付け、このベルトの両端部分をボルト及びナット等の締結手段（図示せず）で締結してこのベルトで基部１０５を締め付けて電柱１０２と基部１０５との間の密着性をさらに高めてもよい。
【００１５】
本実施の形態の電柱地際カバー１０１は、上記のように取り付けられることにより、電柱１０２の外周面を伝わる雨水１１０を、基部１０５の外周面に逃がし、傘部１０６の表面を伝わらせて、地表面１０３まで落とす。この地表面１０３に流れ落ちた雨水１１０や地表面１０３上に存在する雨水１１１は、傘部１０６に堰き止められ、傘部１０６内の空間１０９に入り込むことがない。
【００１６】
また、本実施の形態の電柱地際カバー１０１において、傘部１０６は可撓性を有する素材で基部１０５から拡がる傘形状に形成されている（図１及び図２参照）。そこで、作業者は、電柱１０２と地表面１０３との間に隙間１０４が生じたか否かを点検するために、傘部１０６の下縁１０７ａ近傍の領域を手に持って上方に捲り上げ、電柱１０２の根元の地際を目視する必要がある。この点、本実施の形態の電柱地際カバー１０１では、傘部１０６が一旦捲り上げられると傘形状が反転し、その状態が維持される。この点について、図３に基づいて説明する。
【００１７】
図３（ａ）及び図３（ｂ）は、本発明の原理を説明する説明図である。一般に、傘形状に形成され弾性を有するシート状の素材で形成された図３（ａ）に示すような傘状体３０１は、作業者３０２がその外縁近傍領域３０３を手で持ち、その傘状体３０１の放射方向に拡げて裏返す外力ＦＵを加えることによって、傘状体３０１自身が有する弾性によって反転し、図３（ｂ）に示すような反転形状に変わり、その状態が維持されることが経験上知られている。そして、作業者３０２が図３（ｂ）に示す反転形状の傘状体３０１の外縁近傍領域３０３を手で持って、外力ＦＵとは反対向きになるような外力ＦＤを加えることにより、この反転した状態の傘状体３０１は、傘状体３０１自身が有する弾性によって正転して図３（ａ）に示すような傘状体３０１に変わり、その状態が維持されることも、一般的に知られている。本発明は、この原理を利用したものである。そして、第一の実施の形態の電柱地際カバー１０１が有する傘部１０６は、図３（ａ）及び図３（ｂ）における傘状体３０１に対応している。
【００１８】
図４は、捲り上げられた電柱地際カバー１０１を示す正面断面図である。図３に基づいて説明した原理があるため、本実施の形態の電柱地際カバー１０１において、作業者が傘部１０６を持って、傘形状を拡げて裏返す外力ＦＧを加えた場合、この傘部１０６の傘形状は反転し、その状態が維持される。また、作業者は、反転した状態の傘部１０６に対してこの反転した状態の傘形状を下ろすような外力を加えることにより、傘部１０６を正転させて元の形状に復元させることができる。
【００１９】
このように、本実施の形態の電柱地際カバー１０１を電柱１０２の根元に取り付けることによって、屋外に立設する電柱１０２の外周面を流れる雨水１１０を電柱１０２の根元に到達させることなく地表面１０３に逃がし、さらには、地表面１０３を流れ傘部１０６内の空間１０９に入り込もうとする雨水１１１を堰き止めて、電柱１０２と地表面１０３との間に生じた隙間１０４に雨水１１０、１１１が入り込むことを防ぐことができる。この結果、空洞１１２が生じてしまい電柱１０２の周囲の地面が陥没したり電柱１０２が倒れたりしてしまうことを防止することができる。
【００２０】
さらに、本実施の形態の電柱地際カバー１０１の傘部１０６は、捲り上げられると傘形状が反転しその状態が維持されるため、電柱１０２と地表面１０３との間に隙間１０４が生じたか否かを簡易に点検できる。この結果、風を受けて揺れることにより隙間１０４が生じやすい環境下に立設する電柱１０２について、作業者はその電柱１０２の根元を点検する作業を行いやすくなる。そして、作業員は、電柱１０２と地表面１０３との間にこれまでになかった隙間１０４が生じたか否か、既に生じている隙間１０４が地表面１０３下に空洞１１２を形成させる程に大きくなってしまったか否か、さらには、地表面１０３の陥没のみならず電柱１０２が倒壊する危険性が生じていないか否か等を早期に発見し、電柱１０２の補強等の迅速な対処を行うことができる。
【００２１】
次いで、本発明の別の実施の一形態（第二の実施の形態）について、図５に基づいて説明する。この場合、第一の実施の形態と同一の部分は同一の符号で示し、説明も省略する。
【００２２】
図５は、電柱１０２に取り付けられた電柱地際カバー１０１の外観斜視図である。本実施の形態は、電柱１０２の設置時のみならず、既設の電柱１０２に対しても設置できるようにした電柱地際カバー１０１である。つまり、電柱地際カバー１０１を、電柱１０２の上端部ではなく電柱１０２の側方から導入して、既設の電柱１０２の根元部分に取り付けられるようにしたものである。
【００２３】
本実施の形態の電柱地際カバー１０１は、図５に示すように、基部１０５と傘部１０６との全体に連なるスリット１１３を有する。このスリット１１３は、軸線１０８の方向であって、基部１０５の上縁１１４及び傘部１０６の下縁１０７ａのいずれに対しても直交する向きに直線状に延びている。本実施の形態の電柱地際カバー１０１は、さらに、重ね代１１５を有する。重ね代１１５は、スリット１１３によって分けられた電柱地際カバー１０１の端部領域１０１Ｌ、１０１Ｒからこの電柱地際カバー１０１の軸回り方向に延びて形成される。この重ね代１１５は、スリット１１３を隠す。そして、本実施の形態の電柱地際カバー１０１には、この電柱地際カバー１０１の基部１０５及び傘部１０６の少なくとも一方が、傘形状の周回り方向に拡げようとする外力が加えられた場合に、縮まって元の形に戻ろうとする復元力を生じさせる弾性力を有している。
【００２４】
本実施の形態の電柱地際カバー１０１は、既に屋外に立設されていて架線（図示せず）が取り付けられている電柱１０２に対しても取り付けることができる。つまり、作業者は、電柱地際カバー１０１を持ってスリット１１３を拡げ、基部１０５の内周面を電柱１０２の外周面に接触させる。基部１０５は、周回り方向に縮まろうとして、電柱１０２の外周面に巻き付く。続けて、作業者は、第一の実施の形態と同様に、電柱１０２に巻きついた状態の電柱地際カバー１０１の基部１０５を持って、この電柱地際カバー１０１の傘部１０６の下縁１０７ａが地表面１０３に接触するまで電柱１０２の下方に動かし、電柱１０２の根元部分に位置付ける。つまり、本実施の形態の電柱地際カバー１０１においても、傘部１０６の下縁１０７ａが接触部１０７としての役割を果たす。
【００２５】
本実施の形態の電柱地際カバー１０１を電柱１０２の根元に取り付けた場合であっても、第一の実施の形態の電柱地際カバー１０１と同様に、電柱１０２の外周面を流れる雨水は基部１０５の外周面及び傘部１０６の表面を流れて地表面１０３に逃げ、さらに、傘部１０６の下縁１０７ａ（接触部１０７）によって地表面１０３を流れ傘部１０６の内空間に入り込もうとする雨水が堰き止められるため、電柱と地表面との間に生じた隙間に雨水が入り込むことを防ぐことができる。
【００２６】
また、傘部を捲り上げて傘形状を反転させると、図３に基づいて述べた原理に従って傘部１０６の傘形状が反転し、その反転した状態のままの状態が維持されるため、作業者は電柱と地表面との間に隙間が生じたか否かを容易に点検でき、空洞１１２を生じさせて電柱１０２の周囲の地面が陥没したり電柱１０２が倒れたりしてしまうことを防止することができる。
【００２７】
さらに、本実施の形態の電柱地際カバー１０１は、スリット１１３が設けられていて基部１０５を軸回り方向に拡げることができる。電柱１０２は一般に円柱状の棒形状であることは前述したが、厳密には下端部よりも上端部が若干細くなっている。このため、電柱１０２の地面に対する埋設の深さによってこの電柱１０２の根元部分の外径が変わる。これに対し、本実施の形態の電柱地際カバー１０１は、根元部分の外径がさまざまになる電柱１０２に対しても取り付けが可能で、隙間１０４への雨水の浸入を防ぐことができる。
【００２８】
なお、本実施の形態の電柱地際カバー１０１についても、第一の実施の形態と同様に、電柱１０２の外周面と基部１０５の内周面との間を接着剤等を用いて糊付けしたり、基部１０５の外周に金属製のベルト（図示せず）を巻き付けてこのベルトの両端部分をボルト及びナット等の締結手段（図示せず）で締結してこのベルトで基部１０５を締め付けたりすることにより、電柱１０２と基部１０５との間の密着性をさらに高めてもよい。
【００２９】
次いで、本発明のさらに別の実施の一形態（第三の実施の形態）について、図６に基づいて説明する。この場合、第一の実施の形態及び第二の実施の形態と同一の部分は同一の符号で示し、説明も省略する。
【００３０】
図６は、電柱１０２に取り付けられた電柱地際カバー１０１の外観斜視図である。本実施の形態の電柱地際カバー１０１では、図６に示すように、基部１０５と傘部１０６との全体に連なるスリット１１３が、基部１０５の軸線１０８（図２参照）に対し傾斜する向きに延びている。スリット１１３は、軸線１０８方向に対して傾斜する直線状に設けられている。
【００３１】
前述したように、電柱１０２は、厳密には下端部よりも上端部が若干細くなっていて、電柱１０２の地面に対する埋設の深さによってこの電柱１０２の根元部分の外径が変わる。これに対し、本実施の形態の電柱地際カバー１０１は、電柱１０２に取り付けられた際に電柱１０２の根元部分の外径に応じて基部１０５が拡がり、スリット１１３により分けられた基部１０５の上縁１１４の角部１１４Ｌ、１１４Ｒが間隔ΔＬだけ電柱１０２の周回り方向に離れる。ここで、本実施の形態の電柱地際カバー１０１では、スリット１１３が軸線１０８に対して傾斜する方向に設けられている。このため、スリット１１３によって分けられた電柱地際カバー１０１の端部領域１０１Ｌ、１０１Ｒが上下にずれると、スリット１１３によって分けられた電柱地際カバー１０１の端面１１６Ｌ、１１６Ｒ同士は、擦り合って接する。
【００３２】
本実施の形態の電柱地際カバー１０１も、第二の実施の形態と同様に、既に屋外に立設し架線（図示せず）が取り付けられている電柱１０２に対し、電柱地際カバー１０１の基部１０５を持ってスリット１１３を拡げて基部１０５の内周面を電柱１０２の外周面に接触させることで取り付けることができる。基部１０５は、円筒状であるが故に軸回り方向に拡げられた場合に元の形状に戻ろうとして縮まろうとし、電柱１０２の外周面に巻き付く。続けて、作業者は、第一の実施の形態や第二の実施の形態と同様に、電柱１０２に巻きついた状態の電柱地際カバー１０１の基部１０５を持って電柱１０２の下方に動かし電柱１０２の根元に位置付ける。このとき、作業者は、本実施の形態の電柱地際カバー１０１の基部１０５を持って下方向に動かし、傘部１０６の内周面の一部を地表面１０３に接触させる。すなわち、本実施の形態の電柱地際カバー１０１では、傘部１０６の内周面のうち地表面１０３に接する領域が接触部１０７となる。その後、作業者は、電柱１０２の根元部分の径にあわせて端部領域１０１Ｌ、１０１Ｒをずらし、端面１１６Ｌ、１１６Ｒを擦り合わせる。その結果、電柱１０２に取り付けられた電柱地際カバー１０１の傘部１０６は、平面視において渦巻螺旋状に拡がる。この状態で、傘部１０６の表面から地表面１０３に流れ落ちた雨水１１０や地表面１０３上に存在する雨水１１１は、傘部１０６の内周面のうち地表面１０３に接する領域によって堰き止められる。
【００３３】
なお、本実施の形態の電柱地際カバー１０１を電柱１０２に取り付ける際には、基部１０５の外周及び傘部１０６の上部に金属ベルトや針金等を巻いて締め付けることにより、スリット１１３において基部１０５と傘部１０６との間に生じる隙間を塞ぐことが望ましい。
【００３４】
本実施の形態の電柱地際カバー１０１を電柱１０２の根元に取り付けた場合であっても、雨水を堰き止めて電柱と地表面との間に生じた隙間に雨水が入り込むことを防ぐことができる。また、傘部を捲り上げて傘形状を反転させるとその反転した状態のままの状態が維持されるため、電柱と地表面との間に隙間が生じたか否かを容易に点検できる。さらに、本実施の形態の電柱地際カバー１０１は、電柱１０２が上端部に向けて細くなる棒形状であるが故に取付位置の径が基部１０５の内径と異なっていても、スリット１１３による隙間を生じさせることなく内部に雨水が浸入することを防ぐことができる。
【００３５】
次いで、本発明のさらに別の実施の一形態（第四の実施の形態）について、図７に基づいて説明する。この場合、これまでに述べた実施の形態と同一の部分は同一の符号で示し、説明も省略する。
【００３６】
図７は、電柱１０２に取り付けられた電柱地際カバー１０１の外観斜視図である。本実施の形態の電柱地際カバー１０１では、図７に示すように、基部１０５と傘部１０６との全体に連なるスリット１１３が、基部１０５の軸線１０８（図２参照）に対し傾斜する向きに延びている。本実施の形態の電柱地際カバー１０１において、スリット１１３は、軸線１０８（図２参照）方向に対して傾斜する直線状の仮想線１１８よりも傘部１０６の下縁１０７ａの方向に向けて凸なる曲線状である。
【００３７】
作業者は、本実施の形態の電柱地際カバー１０１を、第三の実施の形態の電柱地際カバー１０１と同じように、電柱１０２の根元部分にとりつけることができる。ここで、本実施の形態の電柱地際カバー１０１は、スリット１１３が下方に凸なる曲線状である。このために、端面１１６Ｌ、１１６Ｒ同士を擦り合わせると、基部１０５の下方が膨らんで基部１０５がテーパ状となる。従って、本実施の形態の電柱地際カバー１０１は、電柱１０２の根元に取り付けられることによって、下端部よりも上端部が若干細いテーパ状となっている電柱１０２の外周面と基部１０５の内周面とがより一層密着する。
【００３８】
本実施の形態の電柱地際カバー１０１を電柱１０２の根元に取り付けた場合であっても、雨水を堰き止めて電柱と地表面との間に生じた隙間に雨水が入り込むことを防ぐことができる。また、傘部を捲り上げて傘形状を反転させるとその反転した状態のままの状態が維持されるため、電柱と地表面との間に隙間が生じたか否かを容易に点検できる。さらに、本実施の形態の電柱地際カバー１０１は、電柱１０２が上端部に向けて細くなる棒形状であるが故にその取り付け位置における電柱１０２の太さが変化してもスリット１１３による隙間を生じさせることなく内部に雨水が浸入することを防ぐことができる。
【００３９】
なお、第二の実施の形態〜第四の実施の形態の電柱地際カバー１０１に対する変形例として、スリット１１３によって形成される電柱地際カバー１０１の端面１１６Ｌ、１１６Ｒを接しさせた状態で、この端面１１６Ｌ、１１６Ｒを鎹（かすがい）で繋ぎ止め、端面１１６Ｌ、１１６Ｒが離れて隙間が生じることがないようにしてもよい。
【符号の説明】
【００４０】
１０１  電柱地際カバー
１０２  電柱
１０３  地表面
１０５  基部
１０６  傘部
１０７  接触部
１０８  軸線
１１３  スリット
１１８  仮想線
ＦＧ    外力
【図１】
2010236295.tif 000003
【図２】
2010236295.tif 000004
【図３】
2010236295.tif 000005
【図４】
2010236295.tif 000006
【図５】
2010236295.tif 000007
【図６】
2010236295.tif 000008
【図７】
2010236295.tif 000009